(57)【特許請求の範囲】
【請求項１】
吸込口から吹出口に至る空気流路に配置された送風ファンと、
前記吹出口の近傍において回動可能に支持され、前記吹出口の長手方向に沿って延びる上下風向板と、
前記上下風向板の上方において回動可能に支持され、前記吹出口の長手方向に沿って延びる補助上下風向板とを備え、
前記空気流路の上壁部が、前方に向かって下向きに傾斜した第１上壁部と、前記第１上壁部の前方において前記空気流路が広がるように配置された第２上壁部とを有し、
冷房運転時および運転停止時において前記補助上下風向板が前記第１上壁部を延長した面より前記第２上壁部側に配置され、
冷房運転時において、冷気が前記補助上下風向板と前記第２上壁部との間を流れることを特徴とする空気調和機。
【請求項２】
前記第２上壁部が、略水平または前方に向かって上向きに傾斜することを特徴とする請求項１に記載の空気調和機。
【請求項３】
前記上下風向板が、略水平に配置されることを特徴とする請求項１または２に記載の空気調和機。
【請求項４】
前記上下風向板が、上下方向についてスイングされることを特徴とする請求項１または２に記載の空気調和機。
【請求項５】
前記補助上下風向板の上面と前記第２上壁部との間に隙間があることを特徴とする請求項１−３のいずれかに記載の空気調和機。
【請求項６】
前記補助上下風向板は、下方向に向かって開動作した状態であることを特徴とする請求項５に記載の空気調和機。
【発明の詳細な説明】
【技術分野】
【０００１】
本発明は、上下風向板及び補助上下風向板が吹出口の近傍に配置された空気調和機に関するものである。
【背景技術】
【０００２】
従来の空気調和機には、吸込口から吹出口に至る空気流路に配置された送風ファンと、吹出口の近傍に配置された上下風向板と、上下風向板の上方に配置された補助上下風向板とを備えたものがある。上下風向板及び補助上下風向板は、回動可能に支持され、吹出口の長手方向に沿って延びている。また、吹出口に至る空気流路の上壁部が、前方に向かって下向きに傾斜するように設けられ、補助上下風向板が、下向きに傾斜する上壁部の近傍に配置されている。
【先行技術文献】
【特許文献】
【０００３】
【特許文献１】特開２００９−７９８４６
【発明の概要】
【発明が解決しようとする課題】
【０００４】
従来の空気調和機において、冷房運転時に、上下風向板が略水平に配置されて、吹出口から吹き出される冷気の風向が略水平方向に設定される場合がある。このとき、送風ファン３からの冷気は、上下風向板と下向きに傾斜する上壁部との間を流れて吹き出される。しかし、補助上下風向板が、下向きに傾斜する上壁部の近傍に配置されているので、その上壁部に沿って流れる冷気が、補助上下風向板に衝突して風量が低下してしまう。また、従来の空気調和機において、冷房運転時に、上下風向板が上下方向にスイングするように制御される場合があるが、この場合も同様に、下向きに傾斜する上壁部に沿って流れる冷気が、補助上下風向板に衝突して風量が低下してしまう。
【０００５】
そこで、本発明の目的は、冷房運転時において、送風ファンからの冷気が補助上下風向板に衝突することで風量が低下するのを防止できる空気調和機を提供することである。
【課題を解決するための手段】
【０００６】
第１の発明にかかる空気調和機は、吸込口から吹出口に至る空気流路に配置された送風ファンと、前記吹出口の近傍において回動可能に支持され、前記吹出口の長手方向に沿って延びる上下風向板と、前記上下風向板の上方において回動可能に支持され、前記吹出口の長手方向に沿って延びる補助上下風向板とを備え、前記空気流路の上壁部が、前方に向かって下向きに傾斜した第１上壁部と、前記第１上壁部の前方において前記空気流路が広がるように配置された第２上壁部とを有し、冷房運転時および運転停止時において前記補助上下風向板が前記第１上壁部を延長した面より前記第２上壁部側に配置され、冷房運転時において、冷気が前記補助上下風向板と前記第２上壁部との間を流れることを特徴とする。
【０００７】
この空気調和機では、冷房運転時において補助上下風向板が第１上壁部を延長した面より第２上壁部側に配置されるので、補助上下風向板が送風ファンからの冷気の流れ方向に配置されない。したがって、送風ファンからの冷気が補助上下風向板に衝突することで風量が低下するのを防止できる。
【０００８】
第２の発明にかかる空気調和機では、第１の発明にかかる空気調和機において、前記第２上壁部が、略水平または前方に向かって上向きに傾斜することを特徴とする。
【０００９】
この空気調和機では、第２上壁部が略水平または前方に向かって上向きに傾斜しているので、補助上下風向板を、送風ファンからの冷気の流れ方向に配置されない位置に容易に配置できる。
【００１０】
第３の発明にかかる空気調和機では、第１または第２の発明にかかる空気調和機において、前記上下風向板が、略水平に配置されることを特徴とする。
【００１１】
この空気調和機では、吹出口から吹き出される冷気の風向が略水平である場合に、風量が低下するのを防止できる。
【００１２】
第４の発明にかかる空気調和機は、第１または第２の発明にかかる空気調和機において、前記上下風向板が、上下方向についてスイングされることを特徴とする。
【００１３】
この空気調和機では、吹出口から吹き出される冷気の風向が上下方向にスイングされる場合に、風量が低下するのを防止できる。
【００１４】
第５の発明にかかる空気調和機は、第１−第３のいずれかの発明にかかる空気調和機において、前記補助上下風向板の上面と前記第２上壁部との間に隙間があることを特徴とする。
【００１５】
この空気調和機では、補助上下風向板の上面と前記第２上壁部との間に隙間があって、送風ファンからの冷気の一部が補助上下風向板の上方を流れるが、補助上下風向板が第１上壁部を延長した面より第２上壁部側に配置されるので、補助上下風向板の上方を流れる流量を低減でき、冷気が分散するのを抑制できる。
【００１６】
第６の発明にかかる空気調和機は、第５の発明にかかる空気調和機において、前記補助上下風向板は、下方向に向かって開動作した状態であることを特徴とする。
【００１７】
この空気調和機では、運転停止時において補助上下風向板が全閉位置（補助上下風向板が上壁部に当接して、補助上下風向板の上面と上壁部との間を冷気が流れない位置）に配置される場合であっても、冷房運転開始時に、補助上下風向板が下方向に向かって開動作されることにより、送風ファンからの冷気の一部が補助上下風向板の上方を流れるようになる。
【発明の効果】
【００１８】
以上の説明に述べたように、本発明によれば、以下の効果が得られる。
【００１９】
第１の発明では、冷房運転時において補助上下風向板が第１上壁部を延長した面より第２上壁部側に配置されるので、補助上下風向板が送風ファンからの冷気の流れ方向に配置されない。したがって、送風ファンからの冷気が補助上下風向板に衝突することで風量が低下するのを防止できる。
【００２０】
第２の発明では、第２上壁部が略水平または前方に向かって上向きに傾斜しているので、補助上下風向板を、送風ファンからの冷気の流れ方向に配置されない位置に容易に配置できる。
【００２１】
第３の発明では、吹出口から吹き出される冷気の風向が略水平である場合に、風量が低下するのを防止できる。
【００２２】
第４の発明では、吹出口から吹き出される冷気の風向が上下方向にスイングされる場合に、風量が低下するのを防止できる。
【００２３】
第５の発明では、補助上下風向板の上面と前記第２上壁部との間に隙間があって、送風ファンからの冷気の一部が補助上下風向板の上方を流れるが、補助上下風向板が第１上壁部を延長した面より第２上壁部側に配置されるので、補助上下風向板の上方を流れる流量を低減でき、冷気が分散するのを抑制できる。
【００２４】
第６の発明では、運転停止時において補助上下風向板が全閉位置（補助上下風向板が上壁部に当接して、補助上下風向板の上面と上壁部との間を冷気が流れない位置）に配置される場合であっても、冷房運転開始時に、補助上下風向板が下方向に向かって開動作されることにより、送風ファンからの冷気の一部が補助上下風向板の上方を流れるようになる。
【図面の簡単な説明】
【００２５】
【図１】本発明の実施形態に係る空気調和機の外観図である。
【図２】図１の空気調和機の断面図である。
【図３】補助上下風向板の構成を説明する図面である。
【図４】水平吹きモードでの運転時の空気調和機の断面図である。
【図５】上下風向板のスイング動作時の空気調和機の断面図である。
【図６】図１に示す空気調和機の機能ブロック図である。
【発明を実施するための形態】
【００２６】
以下、図面を参照しつつ本発明の実施形態に係る空気調和機について説明する。
【００２７】
［空気調和機の構成］
本発明の実施形態に係る空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁から突出する方向を「前方」と称し、その反対の方向を「後方」と称する。また、図１に示す左右方向を単に「左右方向」と称する。
【００２８】
［室内機１］
図２に示すように、室内機１は、ケーシング２と、ケーシング２内に収容された送風ファン３、熱交換器４、左右風向板５、上下風向板６、補助上下風向板７等を備えている。
【００２９】
ケーシング２は、略直方体状のグリル１１と、グリル１１の前面を覆う前面パネル１２とを有する。グリル１１の上面には、左右方向に長い格子状の開口である吸込口１３が形成されており、グリル１１の下面には、左右方向に長い矩形状の開口である吹出口１４が形成されている。そして、空調運転（冷房運転または暖房運転）時には、吸込口１３から吹出口１４に至る空気流路に配置された送風ファン３が駆動されることによって吸込口１３から吸い込まれた空気は、熱交換器４において加熱または冷却された後、吹出口１４から室内に吹き出される。
【００３０】
＜空気流路＞
吸込口１３から吹出口１４に至る空気流路のうち左右風向板５から吹出口１４に至る空気流路の上壁部１５は、図２に示すように、前方に向かって下向きに傾斜した第１上壁部１６と、第１上壁部１６の前方において空気流路が広がるように配置された第２上壁部１７によって形成されている。第２上壁部１７は、具体的には、前方に向かって略水平に延在しており、第１上壁部１６を延長した面Ｓに対して３０°上方に広がるように配置される。また、左右風向板５から吹出口１４に至る空気流路の下壁部１８は、グリル１１によって形成されており、前方に向かって下向きに傾斜している。
【００３１】
＜上下風向板６＞
上下風向板６は、吹出口１４の近傍に配置され、支持部材１９によって回転軸１９ａの周りを回動可能に支持されている。この上下風向板６は、吹出口１４の長手方向（左右方向）に沿って延びており、上下方向について吹出口１４から吹き出される空気の風向を変更すると共に、吹出口１４の開閉を行う。なお、以下においては、上下風向板６の２つの面のうち下方側を表面６ｓ、上方側を裏面６ｂと称する。
【００３２】
この上下風向板６は、図示しない駆動モータが駆動されることによって、回転軸１９ａを中心に上側構造当たり（全閉状態）から下側構造当たり（全開状態）までの範囲を回動できるようになっている。この上下風向板６は、図示しないリモコンの操作によって制御可能であって、所定の範囲（上限位置から下限位置までの範囲）において上下風向板６を往復可動させる「スイング動作」を行うことができる。また、リモコンの操作によって、上下風向板６を上限位置から下限位置までの範囲において所望の位置に固定することができる。
【００３３】
＜補助上下風向板７＞
補助上下風向板７は、図２に示すように、上下風向板６の上方において第２上壁部１７の近傍に配置され、支持部材２０によって回転軸２０ａの周りを回動可能に支持されている。この補助上下風向板７は、吹出口１４の長手方向（左右方向）に沿って延びており、上下風向板６と共に上下方向について吹出口１４から吹き出される空気の風向を変更する。
【００３４】
補助上下風向板７は、図３（ａ）に示すように、矩形状の板状部材であって、その裏面には、３つの支持部材２０が配置されている。支持部材２０は、取付孔２１を有しており、第２上壁部１７に配置された図示しない支持軸に回転可能に取り付けられる。したがって、補助上下風向板７は、支持軸の中心軸である回転軸２０ａの周りを回転可能である。
【００３５】
この補助上下風向板７は、図示しない駆動モータが駆動されることによって、回転軸２０ａを中心に上側構造当たり（全閉状態）から下側構造当たり（全開状態）までの範囲を回動できるようになっている。なお、この補助上下風向板７は、リモコンの操作によって制御可能なものではなく、その配置位置は、空気調和機１の運転状態などによって自動的に定められる。
【００３６】
空気調和機１では、冷房運転時において、補助上下風向板７が、第１上壁部１６を延長した面Ｓより第２上壁部１７側に配置される。したがって、補助上下風向板７は、図２に示すように、第１上壁部１６を延長した面Ｓより上方に配置され、回転軸２０ａが補助上下風向板７より後方にある。また、図３（ｂ）に示すように、補助上下風向板７の回転軸２０ａに垂直な断面において、補助上下風向板７の裏面の後端部７ａが、補助上下風向板７の後端に近づくにつれて回転軸２０ａから離れる方向に傾斜している（図３（ｂ）では、補助上下風向板７の裏面の後端部７ａが、後方に近づくにつれて下方に傾斜している）。
【００３７】
［リモコン］
図示しないリモコンは、図１に示す室内機１および図示しない室外機と赤外線通信可能であって、室内機１及び室外機の制御に係る各種指令をユーザの操作に応じて送信する。このリモコンにより、ユーザは、上下風向板６の固定位置、「上下風向板６のスイング動作」、「水平吹きモードでの運転（所定の風向固定モードでの運転）」、冷房運転、暖房運転、除湿運転などの各運転モード、設定温度などを選択できる。
【００３８】
ここで、「水平吹きモードでの運転」とは、冷房運転時において、図４に示すように、上下風向板６および補助上下風向板７を略水平向きに固定し、吹出口１４から略水平方向に冷気を吹き出す運転を言う。以下、上下風向板６および補助上下風向板７が略水平向きに固定されたときの上下風向板６および補助上下風向板７の位置を水平位置と称する。そして、補助上下風向板７が水平位置に配置された場合、補助上下風向板７が第１上壁部１６を延長した面Ｓより第２上壁部１７側に配置される。したがって、補助上下風向板７が、送風ファン３からの冷気の流れ方向（送風ファン３からの冷気が第１上壁部１６に沿って流れたときの流れ方向）に配置されない。また、補助上下風向板７が、その裏面（上面）と第２上壁部１７との間に隙間ができる位置に配置される。したがって、冷房運転時の「水平吹きモードでの運転」が設定された場合において、送風ファン３からの冷気が補助上下風向板７と第２上壁部１７との間を流れる。
【００３９】
また、「上下風向板６のスイング動作」とは、冷房運転時において、図５に示すように、上下風向板６を所定の範囲（上限位置から下限位置までの範囲）で上下方向に揺動させて、吹出口１４からの冷気を吹き出す方向を上下方向に変更する運転を言う。このとき、補助上下風向板７は、所定の位置（例えば上限位置）に固定される。そして、補助上下風向板７が上限位置に配置された場合、補助上下風向板７が第１上壁部１６を延長した面Ｓより第２上壁部１７側に配置される。したがって、補助上下風向板７が、送風ファン３からの冷気の流れ方向（送風ファン３からの冷気が第１上壁部１６に沿って流れたときの流れ方向）に配置されない。また、補助上下風向板７が、その裏面（上面）と第２上壁部１７との間に隙間ができる位置に配置される。したがって、冷房運転時の「上下風向板６のスイング動作」が設定された場合において、送風ファン３からの冷気が補助上下風向板７と第２上壁部１７との間を流れる。
【００４０】
［制御部８］
制御部８（制御手段）は、ＣＰＵ（Central Processing Unit）、ＲＯＭ（Read Only Memory）、ＲＡＭ（Random Access Memory）などの複数のハードウェアから構成されている。ＲＯＭには、制御部８の動作を制御する制御プログラムなどが格納されている。そして、この制御部８は、図８に示すように、送風ファン３、左右風向板５、上下風向板６、補助上下風向板７と電気的に接続されている。
【００４１】
この制御部８は、冷房運転時において、リモコンの操作などを受けて、水平吹きモードでの運転が設定された場合に、上下風向板６及び補助上下風向板７を水平位置にそれぞれ配置する。また、制御部８は、冷房運転時において、リモコンの操作などを受けて、上下風向板６のスイング動作が設定された場合に、上下風向板６を所定の範囲（上限位置から下限位置までの範囲）で上下方向に揺動させるとともに、補助上下風向板７を上限位置に配置する。
【００４２】
ところで、空気調和機１では、運転停止時において、上下風向板６は、吹出口１４を閉じる全閉位置に配置され、補助上下風向板７は、その前端部が第２上壁部１７に当接する全閉位置に配置される。したがって、空気調和機１では、運転開始時に、上下風向板６及び補助上下風向板７が、それぞれ、全閉位置から下方に向かって開動作されることによって、送風ファン３からの冷気が、上下風向板６と第２上壁部１７との間や補助上下風向板７と第２上壁部１７との間を流れる状態に変化する。
【００４３】
［本実施形態の空気調和機の特徴］
本実施形態の空気調和機には、以下の特徴がある。
【００４４】
この空気調和機１では、冷房運転時において補助上下風向板７が第１上壁部１６を延長した面Ｓより第２上壁部１７側に配置されるので、補助上下風向板７が送風ファン３からの冷気の流れ方向に配置されない。したがって、送風ファン３からの冷気が補助上下風向板７に衝突することで風量が低下するのを防止できる。
【００４５】
この空気調和機１では、第２上壁部１７が略水平であるので、補助上下風向板７を、送風ファン３からの冷気の流れ方向に配置されない位置に容易に配置できる。
【００４６】
この空気調和機１では、吹出口１４から吹き出される冷気の風向が略水平である場合（水平吹きモードでの運転時）に、風量が低下するのを防止できる。
【００４７】
この空気調和機１では、吹出口１４から吹き出される冷気の風向が上下方向にスイングされる場合（上下風向板６のスイング動作時）に、風量が低下するのを防止できる。
【００４８】
この空気調和機１では、補助上下風向板７の上面と第２上壁部１７との間に隙間があって、送風ファン３からの冷気の一部が補助上下風向板７の上方を流れるが、補助上下風向板７が第１上壁部１６を延長した面Ｓより第２上壁部１７側に配置されるので、補助上下風向板７の上方を流れる流量を低減でき、冷気が分散するのを抑制できる。
【００４９】
この空気調和機１では、運転停止時において補助上下風向板７が全閉位置に配置される場合であっても、冷房運転開始時に、補助上下風向板７が下方向に向かって開動作されることにより、送風ファン３からの冷気の一部が補助上下風向板７の上方を流れるようになる。
【００５０】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５１】
本実施形態の空気調和機では、第２上壁部１７が略水平であるが、第２上壁部１７が前方に向かって上向きに傾斜してもよいし、前方に向かって下向きに傾斜してもよい。この場合でも、冷房運転時において、補助上下風向板７が第１上壁部１６を延長した面Ｓより第２上壁部１７側に配置される場合に、本実施形態と同様の効果が得られる。
【００５２】
また、本実施形態の空気調和機では、水平吹きモードでの運転時に補助上下風向板７が水平位置に配置され、上下風向板６のスイング動作時に補助上下風向板７が上限位置に配置される場合を説明したが、補助上下風向板７が第１上壁部１６を延長した面Ｓより第２上壁部１７側に配置される範囲で、補助上下風向板７の配置は変更できる。また、補助上下風向板７が第１上壁部１６を延長した面Ｓより第２上壁部１７側に固定される場合に限られず、補助上下風向板７が第１上壁部１６を延長した面Ｓより第２上壁部１７側において揺動してもよい。
【００５３】
また、本実施形態の空気調和機では、水平吹きモードでの運転時及び上下風向板６のスイング動作時において、補助上下風向板７が第１上壁部１６を延長した面Ｓより第２上壁部１７側に配置される場合を説明したが、水平吹きモードでの運転時及び上下風向板６のスイング動作時に限られず、冷房運転時において、補助上下風向板７が第１上壁部１６を延長した面Ｓより第２上壁部１７側に配置される場合、本実施形態と同様の効果が得られる。
【００５４】
また、本実施形態の空気調和機では、補助上下風向板７は、リモコン操作によって制御不可としたが、リモコン操作によって制御可能であってもよい。
【００５５】
また、本実施形態の空気調和機では、左右風向板５を備えているが、左右風向板５はなくてもよい。
【００５６】
また、本実施形態の空気調和機では、空気調和機の機能として、「水平吹きモードでの運転」や「スイング動作」を備えているが、当該機能はなくてもよい。そして、「水平吹きモードでの運転」の機能を備えてない空気調和機である場合に、上下風向板６が略水平に配置された場合に、補助上下風向板７が第１上壁部１６を延長した面Ｓより第２上壁部１７側に配置されてもよい。
【００５７】
また、空気調和機の除湿運転時に、冷房運転時と同様の動作が行われるようにしてもよい。したがって、本発明における「冷房運転時」には、「除湿運転時」が含まれる。
【産業上の利用可能性】
【００５８】
本発明を利用すれば、送風ファンからの冷気が補助上下風向板に衝突することで風量が低下するのを防止できる。
【符号の説明】
【００５９】
１  室内機（空気調和機）
３  送風ファン
６  上下風向板
７  補助上下風向板
１３  吸込口
１４  吹出口
１５  上壁部
１６  第１上壁部
１７  第２上壁部
【図１】
0005505476.tif 000002
【図２】
0005505476.tif 000003
【図３】
0005505476.tif 000004
【図４】
0005505476.tif 000005
【図５】
0005505476.tif 000006
【図６】
0005505476.tif 000007